【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
尿管カテーテルであって、
排出管腔であって、前記排出管腔は、患者の尿道および／または膀胱の少なくとも一部内に位置付けられるように構成される近位部分と、患者の腎臓、腎盂内、および／または前記腎盂に隣接する尿管内に位置付けられるように構成される遠位部分とを備え、前記遠位部分は、前記排出管腔の遠位部分の位置付けを維持するための保定部分を備え、前記保定部分は、前記保定部分の側壁上に、流体が前記排出管腔の中に流動することを可能にするための少なくとも２つの開口部を備える、排出管腔
を備え、
前記少なくとも２つの開口部のうちの最近位開口部の総面積は、前記排出管腔の遠位端のより近傍のより遠位開口部の総面積未満であり、負圧が前記排出管腔を通して印加されるとき、流体が、前記排出管腔の中へ前記少なくとも２つの開口部を通して引き出される、尿管カテーテル。
【請求項２】
前記排出管腔の近位部分は、開口部が本質的にないかまたはない、請求項１に記載の尿管カテーテル。
【請求項３】
前記排出管腔の近位部分は、前記患者の身体外に延在するように構成される、請求項１に記載の尿管カテーテル。
【請求項４】
前記排出管腔は、少なくとも部分的に、銅、銀、金、ニッケル−チタン合金、ステンレス鋼、チタン、ポリウレタン、ポリ塩化ビニル、ポリテトラフルオロエチレン（ＰＴＦＥ）、ラテックス、およびシリコーンのうちの１つ以上のものから形成される、請求項１に記載の尿管カテーテル。
【請求項５】
前記保定部分は、コイル状構成に付勢され、その結果、前記保定部分が、
第１の直径を有する少なくとも第１のコイルと、
第２の直径を有する少なくとも第２のコイルであって、前記第１の直径は、前記第２の直径未満であり、前記第２のコイルは、前記第１のコイルよりも前記排出管腔の遠位端に近い、少なくとも第２のコイルと
を備える、請求項１に記載の尿管カテーテル。
【請求項６】
前記第１のコイルの側壁と前記第２のコイルの隣接する側壁との間の間隙は、３．０ｍｍ未満である、請求項５に記載の尿管カテーテル。
【請求項７】
前記第１のコイルは、０度〜１８０度に延在する半コイルであり、開口部がなく、前記第２のコイルは、１８０度〜５４０度に延在する完全コイルである、請求項５に記載の尿管カテーテル。
【請求項８】
前記保定部分の側壁は、半径方向内向きに向いた側と、半径方向外向きに向いた側とを備え、前記半径方向内向きに向いた側上の前記開口部の総面積は、前記半径方向外向きに向いた側上の前記開口部の総面積よりも大きい、請求項５に記載の尿管カテーテル。
【請求項９】
前記保定部分の側壁は、半径方向内向きに向いた側と、半径方向外向きに向いた側とを備え、１つ以上の開口部が、前記半径方向内向きに向いた側上に配置され、前記半径方向外向きに向いた側は、開口部が本質的にない、請求項５に記載の尿管カテーテル。
【請求項１０】
前記保定部分の最遠位部分は、前記最遠位部分の中心軸が前記排出管腔の遠位端から前記保定部分の軸に向かって延在するように、最遠位コイルの曲率に対して内向きに屈曲される、請求項５に記載の尿管カテーテル。
【請求項１１】
前記第１のコイルの第１の直径は、約８ｍｍ〜１０ｍｍであり、前記第２のコイルの第２の直径は、約１６ｍｍ〜２０ｍｍである、請求項５に記載の尿管カテーテル。
【請求項１２】
前記保定部分は、前記第１の直径または前記第２の直径のいずれか以上の直径を有する第３のコイルをさらに備え、前記第３のコイルは、前記第２のコイルよりも前記排出管腔の遠位部分の端部に近い、請求項５に記載の尿管カテーテル。
【請求項１３】
前記排出管腔は、前記患者の膀胱から前記患者の尿管の中への挿入のための非コイル状構成と、前記患者の腎臓、腎盂内、および／または前記腎盂に隣接する尿管内での展開のためのコイル状構成との間で遷移可能である、請求項５に記載の尿管カテーテル。
【請求項１４】
前記排出管腔は、自然に、前記コイル状構成に付勢される、請求項１３に記載の尿管カテーテル。
【請求項１５】
前記少なくとも２つの開口部のうちの前記保定部分の遠位端に近い第１の開口部の総面積は、前記少なくとも２つの開口部のうちの前記保定部分の近位端に近い第２の開口部の総面積よりも大きい、請求項１に記載の尿管カテーテル。
【請求項１６】
前記排出管腔は、約０．５ｍｍ〜１．５ｍｍの内径を有し、前記保定部の近位端に近い開口部の総面積は、約０．００２ｍｍ２〜約１．０ｍｍ２であり、前記保定部分の遠位端に近い開口部の総面積は、約０．５ｍｍよりも大きい、請求項１に記載の尿管カテーテル。
【請求項１７】
前記排出管腔は、約３０ｃｍ〜約１２０ｃｍの非コイル状縦方向長を有する、請求項１に記載の尿管カテーテル。
【請求項１８】
前記開口部のうちの１つ以上のものは、約０．００２ｍｍ２〜約０．２５ｍｍ２の断面積を有する、請求項１に記載の尿管カテーテル。
【請求項１９】
前記排出管腔は、約０．５ｍｍ〜約１．５ｍｍの内径を有する開放遠位端を備える、請求項１に記載の尿管カテーテル。
【請求項２０】
前記開口部は、円形であり、各々が、約０．０５ｍｍ〜約１．５ｍｍの直径を有する、請求項１に記載の尿管カテーテル。
【請求項２１】
前記少なくとも２つの開口部の隣接する開口部間の間隙は、約０．１ｍｍ〜約２５５ｍｍである、請求項１に記載の尿管カテーテル。
【請求項２２】
前記開口部は、円形であり、各々が、約０．０５ｍｍ〜約１．０ｍｍの直径を有する、請求項１に記載の尿管カテーテル。
【請求項２３】
前記排出管腔の遠位端において開口部をさらに備える、請求項１に記載の尿管カテーテル。
【請求項２４】
前記開口部の各々は、同一面積を有し、より多くの開口部が、前記保定部分の近位端の近傍よりも前記保定部分の遠位端の近傍に存在する、請求項１に記載の尿管カテーテル。
【請求項２５】
前記少なくとも２つの開口部の各開口部は、独立して、円形、三角形、長方形、楕円形、卵形、および正方形のうちの１つ以上のものから選択される、請求項１に記載の尿管カテーテル。
【請求項２６】
患者の尿路の一部内に負圧を誘発するためのシステムであって、前記システムは、
請求項１に記載の少なくとも１つの尿管カテーテルと、
前記少なくとも１つの尿管カテーテルの前記排出管腔と流体連通するポンプであって、前記ポンプは、正圧および／または負圧を前記患者の尿路の一部内に誘発し、流体を前記保定部分の前記開口部を通して前記排出管腔の中に引き出すために構成される、ポンプと
を備える、システム。
【請求項２７】
前記ポンプは、正圧および／または負圧を前記排出管腔の近位端内に発生させるように構成される、請求項２６に記載のシステム。
【請求項２８】
前記ポンプは、１００ｍｍＨｇ以下の負圧を前記排出管腔の近位端に印加する、請求項２６に記載のシステム。
【請求項２９】
前記ポンプは、ユーザによって選択された３つの圧力レベルのうちの１つで動作するように構成され、前記圧力レベルは、１５ｍｍＨｇ、３０ｍｍＨｇ、および４５ｍｍＨｇの負圧を発生させる、請求項２８に記載のシステム。
【請求項３０】
前記ポンプは、負圧の発生と正圧の発生との間で交互するように構成される、請求項２６に記載のシステム。
【請求項３１】
前記ポンプは、負圧の提供と大気への圧力の等化との間で交互するように構成される、請求項２６に記載のシステム。
【請求項３２】
前記排出管腔と流体連通する１つ以上のセンサであって、前記１つ以上のセンサは、静電容量、検体濃度、および前記排出管腔内の尿の温度のうちの少なくとも１つを含む情報を決定するように構成される、１つ以上のセンサと、
プログラミング命令を含むコンピュータ可読メモリを備えるコントローラであって、前記プログラミング命令は、実行されると、
前記情報を前記１つ以上のセンサから受信し、前記１つ以上のセンサから受信される前記情報に少なくとも部分的に基づいて、前記ポンプの動作パラメータを調節し、前記少なくとも１つの尿管カテーテルの前記排出管腔内の真空圧力を増加または減少させ、前記排出管腔を通した尿の流動を調節すること
を前記コントローラに行わせる、コントローラと
をさらに備える、請求項２６に記載のシステム。
【請求項３３】
前記患者の第１の腎臓、腎盂内、および／または前記腎盂に隣接する尿管内に設置されるように構成される請求項１に記載の第１の尿管カテーテルと、前記患者の第２の腎臓、腎盂内、および／または前記腎盂に隣接する尿管内に設置されるように構成される請求項１に記載の第２の尿管カテーテルとを備え、
前記ポンプは、各カテーテル内の圧力が他のカテーテルと同一または異なり得るように、独立して、負圧を前記第１の尿管カテーテルおよび前記第２の尿管カテーテルに印加するように構成される、請求項２６に記載のシステム。
【請求項３４】
前記ポンプは、１０ｍｍＨｇ以下の正確度を有する、請求項２６に記載のシステム。
【請求項３５】
前記少なくとも２つの開口部は、前記保定部分の内向きに向いた側上に配置される、請求項１に記載の尿管カテーテル。
【請求項３６】
前記保定部分は、外向きに向いた側と、内向きに向いた側とを備え、前記内向きに向いた側は、前記少なくとも２つの開口部のうちの少なくとも１つを備え、前記外向きに向いた側は、前記カテーテルを通した負圧の印加に応じて粘膜組織と接触して前記粘膜組織が前記少なくとも２つの開口部のうちの前記少なくとも１つを閉塞することを阻止する外側周縁を確立するように構成される、請求項１に記載の尿管カテーテル。
【手続補正２】
【補正対象書類名】明細書
【補正対象項目名】００８７
【補正方法】変更
【補正の内容】
【００８７】
付記６５：ポンプは、１０ｍｍＨｇ以下の感度を有する、付記５７−６４のいずれかに記載のシステム。
本発明は、例えば、以下を提供する。
（項目１）
尿管カテーテルであって、
排出管腔であって、前記排出管腔は、患者の尿道および／または膀胱の少なくとも一部内に位置付けられるように構成される近位部分と、患者の腎臓、腎盂内、および／または前記腎盂に隣接する尿管内に位置付けられるように構成される遠位部分とを備え、前記遠位部分は、前記排出管腔の遠位部分の位置付けを維持するための保定部分を備え、前記保定部分は、複数の区分を備え、各区分は、前記保定部分の側壁上に、流体が前記排出管腔の中に流動することを可能にするための１つ以上の開口部を備える、排出管腔
を備え、
前記複数の区分の第１の区分の開口部の総面積は、前記複数の区分の隣接する第２区分の開口部の総面積未満であり、前記第２の区分は、前記第１の区分よりも前記排出管腔の遠位端に近い、尿管カテーテル。
（項目２）
前記排出管腔の近位部分は、開口部が本質的にないかまたはない、項目１に記載の尿管カテーテル。
（項目３）
前記排出管腔の近位部分は、前記患者の身体外に延在するように構成される、項目１に記載の尿管カテーテル。
（項目４）
前記排出管腔の近位部分の側壁上の複数の距離マーキングをさらに備え、前記カテーテルが前記患者の身体の尿路の中に挿入された距離を示す、項目１に記載の尿管カテーテル。
（項目５）
蛍光透視撮像を使用して前記保定部分の場所を識別するために、前記保定部分の近位端に隣接する前記排出管腔の側壁上に放射線不透過性バンドをさらに備え、前記放射線不透過性バンドは、蛍光透視撮像によって視認されるとき、前記距離マーキングと異なる外観を有する、項目４に記載の尿管カテーテル。
（項目６）
前記排出管腔は、少なくとも部分的に、銅、銀、金、ニッケル−チタン合金、ステンレス鋼、チタン、ポリウレタン、ポリ塩化ビニル、ポリテトラフルオロエチレン（ＰＴＦＥ）、ラテックス、およびシリコーンのうちの１つ以上のものから形成される、項目１に記載の尿管カテーテル。
（項目７）
前記保定部分の複数の区分は、コイル状構成に付勢され、その結果、前記保定部分が、
第１の直径を有する少なくとも第１のコイルと、
第２の直径を有する少なくとも第２のコイルであって、前記第１の直径は、前記第２の直径未満であり、前記第２のコイルは、前記第１のコイルよりも前記排出管腔の遠位端に近い、少なくとも第２のコイルと
を備え、
患者の尿路の中への挿入に先立って、前記保定部分の近位の前記排出管腔の一部が、直線または曲線中心軸を画定し、展開されると、前記保定部分の前記第１のコイルおよび前記第２のコイルが、少なくとも部分的に、前記排出管腔の一部の直線または曲線中心軸と同延である前記保定部分の軸を中心として延在する、項目１に記載の尿管カテーテル。
（項目８）
前記第１のコイルの排出管腔の側壁と前記第２のコイルの排出管腔の隣接する側壁との間の間隙は、３．０ｍｍ未満である、項目７に記載の尿管カテーテル。
（項目９）
前記第１のコイルは、０度〜１８０度に延在する半コイルであり、開口部がなく、前記第２のコイルは、１８０度〜５４０度に延在する完全コイルであり、前記複数の区分の第１の区分は、前記第２のコイルの１８０度〜３６０度に延在し、前記第２の区分は、前記第２のコイルの３６０度〜５４０度に延在する、項目７に記載の尿管カテーテル。
（項目１０）
前記複数の区分に沿って、前記排出管腔の側壁は、半径方向内向きに向いた側と、半径方向外向きに向いた側とを備え、前記半径方向内向きに向いた側上の前記開口部の総面積は、前記半径方向外向きに向いた側上の前記開口部の総面積よりも大きい、項目７に記載の尿管カテーテル。
（項目１１）
前記排出管腔の保定部分は、半径方向内向きに向いた側と、半径方向外向きに向いた側とを備える側壁を備え、１つ以上の穿孔が、前記半径方向内向きに向いた側上に配置され、前記半径方向外向きに向いた側は、穿孔が本質的にない、項目７に記載の尿管カテーテル。
（項目１２）
前記保定部分の最遠位部分は、前記最遠位部分の中心軸が前記排出管腔の遠位端から前記保定部分の軸に向かって延在するように、最遠位コイルの曲率に対して内向きに屈曲される、項目７に記載の尿管カテーテル。
（項目１３）
前記第１のコイルの第１の直径は、約８ｍｍ〜１０ｍｍであり、前記第２のコイルの第２の直径は、約１６ｍｍ〜２０ｍｍである、項目７に記載の尿管カテーテル。
（項目１４）
前記保定部分はさらに、前記保定部分の軸を中心として延在する第３のコイルを備え、前記第３のコイルは、前記第１の直径または前記第２の直径のいずれか以上の直径を有し、前記第３のコイルは、前記第２のコイルよりも前記排出管腔の遠位部分の端部に近い、項目７に記載の尿管カテーテル。
（項目１５）
前記排出管腔は、前記患者の膀胱から前記患者の尿管の中への挿入のための非コイル状構成と、前記患者の腎臓、腎盂内、および／または前記腎盂に隣接する尿管内への展開のための前記コイル状構成との間で遷移可能である、項目７に記載の尿管カテーテル。
（項目１６）
前記排出管腔は、自然に、前記コイル状構成に付勢される、項目１５に記載の尿管カテーテル。
（項目１７）
前記区分は等しい長さである、項目１に記載の尿管カテーテル。
（項目１８）
第２の区分の中に流動する流体に関する体積流率は、−４５ｍｍＨｇの負圧が前記排出管腔の近位端に印加されるとき、区分の開口部を通した体積流率を計算するための物質移動シェルバランス評価に基づいて計算されるように、前記第１の区分の開口部の中に流動する流体の体積流率の少なくとも３０％である、項目１に記載の尿管カテーテル。
（項目１９）
前記複数の区分の最近位区分の中に流動する流体に関する体積流率は、−４５ｍｍＨｇの負圧が前記排出管腔の近位端に印加されるとき、区分の開口部を通した体積流率を計算するための物質移動シェルバランス評価に基づいて計算されるように、前記排出管腔の近位部分を通して流動する流体に関する体積流率の６０％未満である、項目１に記載の尿管カテーテル。
（項目２０）
前記複数の区分の２つの最近位区分の中に流動する流体に関する体積流率は、真空ポンプの流出ポートにおいて測定される−４５ｍｍＨｇの負圧が前記排出管腔の近位端に印加されるとき、区分の開口部を通した体積流率を計算するための物質移動シェルバランス評価に基づいて計算されるように、前記排出管腔の近位部分を通して流動する流体の体積流率の９０％未満である、項目１に記載の尿管カテーテル。
（項目２１）
前記複数の区分の第３の区分の開口部は、前記第１の区分または前記第２の区分の開口部の総面積よりも大きい総面積を有し、前記第３の区分は、前記第１の区分または前記第２の区分よりも前記排出管腔の遠位端に近い、項目１に記載の尿管カテーテル。
（項目２２）
区分の１つ以上の開口部の総面積は、前記保定部分の遠位端により近い区分に関して増加する、項目１に記載の尿管カテーテル。
（項目２３）
前記排出管腔は、約０．５ｍｍ〜１．５ｍｍの内径を有し、前記第１の区分の開口部の総面積および／または前記第２の区分の開口部の総面積は、約０．００２ｍｍ２〜約２．５ｍｍ２である、項目１に記載の尿管カテーテル。
（項目２４）
前記排出管腔は、約０．５ｍｍ〜１．５ｍｍの内径を有し、前記第１の区分の開口部の総面積は、約０．００２ｍｍ２〜約１．０ｍｍ２であり、前記第２の区分の開口部の総面積は、約０．５ｍｍ２よりも大きい、項目１に記載の尿管カテーテル。
（項目２５）
前記複数の区分のうちの区分のそれぞれは、約５ｍｍ〜約３５ｍｍの等しい長さである、項目２４に記載の尿管カテーテル。
（項目２６）
前記排出管腔は、約３０ｃｍ〜約１２０ｃｍの非コイル状縦方向長を有する、項目１に記載の尿管カテーテル。
（項目２７）
前記開口部のうちの１つ以上のものは、約０．００２ｍｍ２〜約０．２５ｍｍ２の断面積を有し、前記第２の区分は、前記第１の区分よりも多くの開口部を備える、項目１に記載の尿管カテーテル。
（項目２８）
前記排出管腔は、約０．５ｍｍ〜約１．５ｍｍの内径を有する開放遠位端を備える、項目１に記載の尿管カテーテル。
（項目２９）
前記開口部は、約０．０５ｍｍ〜約１．５ｍｍの直径を伴う円形であり、前記区分のうちの１つの開口部の直径は、近位に隣接する区分の開口部の直径よりも少なくとも０．０５ｍｍ大きい、項目１に記載の尿管カテーテル。
（項目３０）
前記区分のうちの１つの開口部の中心と隣接する区分の開口部の中心との間の距離は、約５．０ｍｍ〜約１５．０ｍｍである、項目１に記載の尿管カテーテル。
（項目３１）
前記複数の区分の開口部は、円形であり、約０．０５ｍｍ〜約１．０ｍｍの直径を有する、項目１に記載の尿管カテーテル。
（項目３２）
各区分は、単一開口部を備える、項目１に記載の尿管カテーテル。
（項目３３）
前記排出管腔の近位部分により近い区分の単一開口部の面積は、前記排出管腔の遠位端により近い区分の単一開口部の面積未満である、項目３２に記載の尿管カテーテル。
（項目３４）
前記単一開口部のそれぞれの面積は、遠位に隣接する単一開口部の面積未満である、項目３２に記載の尿管カテーテル。
（項目３５）
前記排出管腔の遠位端は、前記複数の区分の隣接する区分の単一開口部の面積よりも大きい面積を有する開口部を有する、項目３２に記載の尿管カテーテル。
（項目３６）
前記複数の区分の開口部のそれぞれは、同一面積を有し、前記第２の区分は、前記第１の区分よりも多くの開口部を備える、項目１に記載の尿管カテーテル。
（項目３７）
前記複数の区分のうちの区分の少なくとも２つの開口部は、前記排出管腔の側壁の円周の周囲に延在する仮想線が、前記少なくとも２つの開口部のそれぞれの少なくとも一部に接触するように配列される、項目１に記載の尿管カテーテル。
（項目３８）
前記区分のうちの少なくとも１つの開口部は、前記排出管腔の側壁に沿って曲線方向に延在する仮想線が、前記個別の区分の開口部のそれぞれの少なくとも一部に接触するように配列される、項目１に記載の尿管カテーテル。
（項目３９）
前記第１の区分の開口部は、前記排出管腔の側壁に沿って曲線方向に延在する第１の仮想線に沿って配列され、前記第２の区分の開口部のうちの少なくとも１つは、前記排出管腔の側壁に沿って曲線方向に延在する第２の仮想線に沿って配列され、前記第２の区分の開口部のうちの少なくとも１つは、前記排出管腔の側壁に沿って曲線方向に延在する第３の仮想線に沿って配列される、項目１に記載の尿管カテーテル。
（項目４０）
前記第１の仮想線は、前記第２の仮想線および／または前記第３の仮想線と同延ではない、項目３９に記載の尿管カテーテル。
（項目４１）
前記第２の仮想線は、前記第３の仮想線と同延ではない、項目３９に記載の尿管カテーテル。
（項目４２）
前記第１、第２、および第３の仮想線は、平行である、項目３９に記載の尿管カテーテル。
（項目４３）
複数の開口部の各開口部は、独立して、円形、三角形、長方形、楕円形、卵形、および正方形のうちの１つ以上のものから選択される、項目１に記載の尿管カテーテル。
（項目４４）
尿管カテーテルであって、
排出管腔であって、前記排出管腔は、患者の尿道の少なくとも一部内に位置付けられるように構成される近位部分と、患者の腎臓、腎盂内、および／または前記腎盂に隣接する尿管内に位置付けられるように構成される遠位部分とを備え、前記遠位部分は、前記排出管腔の遠位部分の位置付けを維持するための保定部分を備え、前記保定部分は、前記排出管腔の複数の等長区分を備え、それぞれ、前記排出管腔の側壁上に、流体が前記排出管腔の中に流動することを可能にするための１つ以上の開口部を備える、排出管腔
を備え、
前記複数の区分の最近位区分の中に流動する流体に関する体積流率は、−４５ｍｍＨｇの負圧が前記排出管腔の近位端に印加されるとき、区分の開口部を通した体積流率を計算するための物質移動シェルバランス評価に基づいて計算されるように、前記排出管腔の近位部分を通して流動する流体の体積流率の約１％〜６０％である、尿管カテーテル。
（項目４５）
前記複数の区分の２つの最近位区分の中に流動する流体の体積流率は、−４５ｍｍＨｇの負圧が前記排出管腔の近位端に印加されるとき、区分の開口部を通した体積流率を計算するための物質移動シェルバランス評価に基づいて計算されるように、前記排出管腔の近位部分を通して流動する流体の体積流率の約１％〜９０％である、項目４４に記載の尿管カテーテル。
（項目４６）
各区分は、単一開口部を備え、前記排出管腔の近位端により近い区分の単一開口部は、前記排出管腔の遠位端により近い区分内の単一開口部の面積未満である、項目４４に記載の尿管カテーテル。
（項目４７）
前記排出管腔の遠位端は、前記複数の区分の隣接する区分の単一開口部の面積よりも大きい面積を有する開口部を有する、項目４４に記載の尿管カテーテル。
（項目４８）
前記複数の区分の開口部のそれぞれは、同一面積を有し、前記複数の区分の第２の区分は、前記最近位区分よりも多い開口部を備える、項目４４に記載の尿管カテーテル。
（項目４９）
前記複数の区分の開口部の形状は、円形、三角形、長方形、正方形、楕円形、砂時計形状、およびランダム周囲開口部のうちの１つ以上のものである、項目４４に記載の尿管カテーテル。
（項目５０）
尿管カテーテルであって、前記尿管カテーテルは、
排出管腔であって、前記排出管腔は、患者の尿道および／または膀胱の少なくとも一部内に位置付けられるように構成される近位部分と、患者の腎臓、腎盂内、および／または前記腎盂に隣接する尿管内に位置付けられるように構成される遠位部分とを備え、前記遠位部分は、前記排出管腔の遠位部分の位置付けを維持するためのコイル状保定部分を備え、前記コイル状保定部分は、
少なくとも第１のコイルであって、前記少なくとも第１のコイルは、少なくとも部分的に、前記保定部分の近位の前記排出管腔の一部の直線または曲線中心軸と同延である前記保定部分の軸を中心として延在する第１の直径を有する、少なくとも第１のコイルと、
複数の区分であって、複数の区分のそれぞれは、前記保定部分の側壁上に、流体が前記排出管腔の中に流動することを可能にするための１つ以上の開口部を備える、複数の区分と
を備え、
前記複数の区分に沿って、前記保定部分の側壁は、半径方向内向きに向いた側と、半径方向外向きに向いた側とを備え、前記半径方向内向きに向いた側上の前記開口部の総面積は、前記半径方向外向きに向いた側上の前記開口部の総面積よりも大きく、
前記複数の区分の第１の区分の開口部の総面積は、前記複数の区分の隣接する第２区分の開口部の総面積未満であり、前記第２の区分は、前記第１の区分よりも前記排出管腔の遠位端に近い、排出管腔
を備える、尿管カテーテル。
（項目５１）
前記保定部分はさらに、第２の直径を有する第２のコイルを備え、前記第１の直径は、前記第２の直径未満であり、前記第２のコイルは、前記第１のコイルよりも前記排出管腔の遠位端に近い、項目５０に記載の尿管カテーテル。
（項目５２）
前記第１のコイルは、０度〜１８０度に延在する半コイルであり、開口部がなく、前記第２のコイルは、１８０度〜５４０度に延在する完全コイルであり、前記複数の区分の第１の区分は、前記第２のコイルの１８０度〜３６０度に延在し、前記第２の区分は、前記第２のコイルの３６０度〜５４０度に延在する、項目５１に記載の尿管カテーテル。
（項目５３）
前記保定部分はさらに、前記保定部分の軸を中心として延在する第３のコイルを備え、前記第３のコイルは、前記第１の直径または前記第２の直径のいずれか以上の直径を有し、前記第３のコイルは、前記第２のコイルよりも前記排出管腔の遠位部分の端部に近い、項目５１に記載の尿管カテーテル。
（項目５４）
尿管カテーテルであって、
排出管腔であって、前記排出管腔は、患者の尿道および／または膀胱の少なくとも一部内に位置付けられるように構成される近位部分と、患者の腎臓、腎盂内、および／または前記腎盂に隣接する尿管内に位置付けられるように構成される遠位部分とを備え、前記遠位部分は、前記排出管腔の遠位部分の位置付けを維持するための保定部分を備え、前記保定部分は、前記保定部分の側壁上に、流体が前記排出管腔の中に流動することを可能にするための複数の開口部を備える、排出管腔
を備え、
前記保定部分の近位端により近い前記複数の開口部のうちの開口部の面積は、前記排出管腔の遠位端により近い前記複数の開口部のうちの開口部の面積未満である、尿管カテーテル。
（項目５５）
前記複数の開口部の各開口部の面積は、前記複数の開口部の近位に隣接する開口部の面積よりも大きい、項目５４に記載の尿管カテーテル。
（項目５６）
各開口部の形状は、独立して、円形、三角形、長方形、および正方形のうちの１つ以上のものから選択される、項目５４に記載の尿管カテーテル。
（項目５７）
患者の尿路の一部内に負圧を誘発するためのシステムであって、前記システムは、
少なくとも１つの尿管カテーテルであって、前記少なくとも１つの尿管カテーテルは、排出管腔を備え、前記排出管腔は、患者の尿道および／または膀胱の少なくとも一部内に位置付けられるように構成される近位部分と、患者の腎臓、腎盂内、および／または前記腎盂に隣接する尿管内に位置付けられるように構成される遠位部分とを備え、前記遠位部分は、前記排出管腔の遠位部分の位置付けを維持するための保定部分を備え、前記保定部分は、前記排出管腔の複数の等長区分を備え、それぞれ、前記排出管腔の側壁上に、流体が前記排出管腔の中に流動することを可能にするための１つ以上の開口部を備える、少なくとも１つの尿管カテーテルと、
前記少なくとも１つの尿管カテーテルの排出管腔と流体連通するポンプであって、前記ポンプは、正圧および／または負圧を前記患者の尿路の一部内に誘発し、流体を前記保定部分の区分の開口部を通して前記排出管腔の中に引き出すために構成される、ポンプと
を備え、
前記複数の区分の第１の区分の開口部の総面積は、前記複数の区分の隣接する第２区分の開口部の総面積未満であり、前記第２の区分は、前記第１の区分よりも前記排出管腔の遠位端に近い、システム。
（項目５８）
前記ポンプは、位置および／または負圧を前記排出管腔の近位端内に発生させるように構成される、項目５７に記載のシステム。
（項目５９）
前記ポンプは、１００ｍｍＨｇ以下の負圧を前記排出管腔の近位端に印加する、項目５７に記載のシステム。
（項目６０）
前記ポンプは、ユーザによって選択された３つの圧力レベルのうちの１つで動作するように構成され、前記圧力レベルは、１５ｍｍＨｇ、３０ｍｍＨｇ、および４５ｍｍＨｇの負圧を発生させる、項目５９に記載のシステム。
（項目６１）
前記ポンプは、負圧の発生と正圧の発生との間で交互するように構成される、項目５７に記載のシステム。
（項目６２）
前記ポンプは、負圧の提供と大気への圧力の等化との間で交互するように構成される、項目５７に記載のシステム。
（項目６３）
前記排出管腔と流体連通する１つ以上のセンサであって、前記１つ以上のセンサは、静電容量、検体濃度、および前記排出管腔内の尿の温度のうちの少なくとも１つを含む情報を決定するように構成される、１つ以上のセンサと、
プログラミング命令を含むコンピュータ可読メモリを備えるコントローラであって、前記プログラミング命令は、実行されると、前記コントローラに、
前記情報を前記１つ以上のセンサから受信させ、少なくとも部分的に、前記１つ以上のセンサから受信される情報に基づいて、前記ポンプの動作パラメータを調節させ、前記少なくとも１つの尿管カテーテルの排出管腔内の真空圧力を増加または減少させ、前記排出管腔を通した尿の流動を調節させる、コントローラと
をさらに備える、項目５７に記載のシステム。
（項目６４）
前記患者の第１の腎臓、腎盂内、および／または前記腎盂に隣接する尿管内に設置されるように構成される第１の尿管カテーテルと、前記患者の第２の腎臓、腎盂内、および／または前記腎盂に隣接する尿管内に設置されるように構成される第２の尿管カテーテルとを備え、
前記ポンプは、各カテーテル内の圧力が前記他のカテーテルと同一または異なり得るように、独立して、負圧を前記第１の尿管カテーテルおよび前記第２の尿管カテーテルに印加するように構成される、項目５７に記載のシステム。
（項目６５）
前記ポンプは、１０ｍｍＨｇ以下の感度を有する、項目５７に記載のシステム。